(57)【要約】【課題】  本発明は目地部の寸法よりも小さな目地プレートを用いるとともに、通常時には通路スペースとして使用でき、目地部が狭くなるように左右の建物が揺れ動いても、目地プレートや外壁面を損傷することのない目地カバー装置を得るにある。【解決手段】  一方の建物の外壁面で通路となる床面近傍部位の躯体にヒンジ部材を介して回動可能に取付けられた先端部が他方の建物の外壁面近傍へ突出された目地プレートと、この目地プレートがほぼ水平状態で支持できるように他方の建物の外壁面に固定された目地プレートの先端部を支持する支持台と、目地プレートの先端部寄りの底面に一端部が枢支され他端部がヒンジ部材の下部位置の一方の建物の外壁面に枢支された目地プレートをほぼ水平状態に支持できるとともに目地部が狭くなると支持台への押し圧によって伸長しながら目地プレートを他方の建物の外壁面に衝突させることなく回動することができる少なくとも２個以上の伸縮脚とで目地カバー装置を構成している。【選択図】  図１
2009108656.tif 000002
【特許請求の範囲】
【請求項１】
一方の建物の外壁面で通路となる床面近傍部位の躯体にヒンジ部材を介して回動可能に取付けられた先端部が他方の建物の外壁面近傍へ突出された目地プレートと、この目地プレートがほぼ水平状態で支持できるように前記他方の建物の外壁面に固定された、該目地プレートの先端部を支持する支持台と、前記目地プレートの先端部寄りの底面に一端部が枢支され、他端部が前記ヒンジ部材の下部位置の一方の建物の外壁面に枢支された、該目地プレートをほぼ水平状態に支持できるとともに、目地部が狭くなると前記支持台への押し圧によって伸長しながら、目地プレートを他方の建物の外壁面に衝突させることなく回動することができる少なくとも２個以上の伸縮脚とからなることを特徴とする目地カバー装置。
【請求項２】
目地プレートは支持台にほぼ水平状態で支持された状態でヒンジ部材の枢支部は目地プレートの下部位置に配置されていることを特徴とする請求項１記載の目地カバー装置。
【発明の詳細な説明】
【技術分野】
【０００１】
本発明は目地部を介して建てられた左右の建物の目地部を、通常時には通路として使用できる目地カバー装置に関する。
【背景技術】
【０００２】
従来、一方の建物の通路の床躯体に後端部が固定され、先端部が他方の建物の通路上をスライド移動するように、免震ビル等では目地部のほぼ２倍の目地プレートを用いている。
【０００３】
このため、大きな目地プレートが必要となり、設置作業が大変で、コスト高になるという欠点があった。
また、目地プレート上を通路としてたまにしか使用しない部位での設置には、過剰設備となってしまうという欠点があった。
【特許文献１】特許第３１２２３５６号
【発明の開示】
【発明が解決しようとする課題】
【０００４】
本発明は以上のような従来の欠点に鑑み、目地部の寸法よりも小さな目地プレートを用いるとともに、通常時には通路スペースとして使用でき、目地部が狭くなるように左右の建物が揺れ動いても、目地プレートや外壁面を損傷することのない目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は一方の建物の外壁面で通路となる床面近傍部位の躯体にヒンジ部材を介して回動可能に取付けられた先端部が他方の建物の外壁面近傍へ突出された目地プレートと、この目地プレートがほぼ水平状態で支持できるように前記他方の建物の外壁面に固定された、該目地プレートの先端部を支持する支持台と、前記目地プレートの先端部寄りの底面に一端部が枢支され、他端部が前記ヒンジ部材の下部位置の一方の建物の外壁面に枢支された、該目地プレートをほぼ水平状態に支持できるとともに、目地部が狭くなると前記支持台への押し圧によって伸長しながら、目地プレートを他方の建物の外壁面に衝突させることなく回動することができる少なくとも２個以上の伸縮脚とで目地カバー装置を構成している。
【発明の効果】
【０００７】
以上の説明から明らかなように、本発明にあっては次に列挙する効果が得られる。
【０００８】
（１）一方の建物の外壁面で通路となる床面近傍部位の躯体にヒンジ部材を介して回動可能に取付けられた先端部が他方の建物の外壁面近傍へ突出された目地プレートと、この目地プレートがほぼ水平状態で支持できるように前記他方の建物の外壁面に固定された、該目地プレートの先端部を支持する支持台と、前記目地プレートの先端部寄りの底面に一端部が枢支され、他端部が前記ヒンジ部材の下部位置の一方の建物の外壁面に枢支された、該目地プレートをほぼ水平状態に支持できるとともに、目地部が狭くなると前記支持台への押し圧によって伸長しながら、目地プレートを他方の建物の外壁面に衝突させることなく回動することができる少なくとも２個以上の伸縮脚とで構成されているので、目地部を支持台と目地プレートで覆い、通路として使用することができる。
【０００９】
（２）前記（１）により、地震によって目地部が広くなっても、目地プレートは少なくとも２個以上の伸縮脚でほぼ水平状態に保つことができ、目地プレート上に人がいても、安全性を確保することができる。
【００１０】
（３）前記（１）によって、地震によって目地部が狭くなると、支持台に少なくとも２個以上の伸縮脚が押し付けられ、目地プレートの先端部を他方の建物の外壁面に衝突することなく上方へ回動させて、その揺れ動きを吸収することができる。
したがって、他方の建物の外壁面や目地プレート等の損傷を効率よく阻止することができる。
【００１１】
（４）前記（１）によって、構造が簡単で、容易に設置することができる。
【００１２】
（５）請求項２によって、目地プレートを損傷することなく、確実に上方へ街道させることができる。
【発明を実施するための最良の形態】
【００１３】
以下、図面に示す本発明を実施するための最良の形態により、本発明を詳細に説明する。
【００１４】
図１ないし図６に示す本発明を実施するための最良の第１の形態において、１は一方の建物２と外壁面となる屋上のパラペット３と目地部４を介して設けられた他方の建物５の外壁面５ａとの間に通路として用いることができるように設けられた本発明の目地カバー装置で、この目地カバー装置１は前記パラペット３の目地部側の上部に枢支部が下部位置に配置されるアングル状に形成された可動側ヒンジ部材６ａと固定側ヒンジ部材６ｂとからなるヒンジ部材６を介して回動可能に取付けられた先端部が前記他方の建物５の外壁面５ａ近傍へ突出された目地プレート７と、この目地プレート７がほぼ水平状態で支持できるように前記他方の建物５の外壁面５ａに固定された、該目地プレート７の先端部を支持する該外壁面５ａ側の上面が傾斜面８に形成された支持台９と、前記目地プレート７の先端部寄りの底面に一端部が枢支ピン１０を用いた枢支金具１１で枢支され、他端部が前記ヒンジ部材６の下部位置の一方の建物２の外壁面２ａに枢支ピン１２を用いた枢支金具１３で枢支された該目地プレート７をほぼ水平状態に支持できるとともに、目地部４が狭くなると前記支持台９への押し圧によって伸長しながら、前記目地プレート７を他方の建物５の外壁面５ａに衝突させることなく回動させることができる少なくとも２個以上の伸縮脚１４、１４とで構成されている。
【００１５】
前記少なくとも２個以上の伸縮脚１４、１４は図４に示すように、下端部に枢支ピン挿入孔１５が形成された棒状の固定脚部材１６と、この固定脚部材１６にスライド移動可能に取付けられた上端部に枢支ピン挿入孔１７が形成された可動脚部材１８と、前記固定脚部材１６の下部寄りの部位に固定された、前記目地プレート７の先端部が前記支持台９に支持された状態で、前記可動脚部材１８の下端部と当接するストッパー１９とで構成されている。
【００１６】
上記構成の目地カバー装置１は通常時には図１および図２に示すように、目地部４を支持台９に支持された目地プレート７で覆われており、作業等で一方の建物２と他方の建物５へ移動する場合の通路として使用することができる。
また、地震で目地部４が広くなるように揺れ動いた場合、図５に示すように目地プレート７は支持台９より離れるが、少なくとも２個以上の伸縮脚１４、１４によって目地プレート７上に荷重が加わった状態でも、ほぼ水平状態を保つように支持する。
このため、揺れ動きが停止した場合、図３に示す状態に自動的に戻る。
地震で目地部４が狭くなるように揺れ動いた場合、図６に示すように支持台９の先端部に少なくとも２個の伸縮脚１４、１４の可動脚部材１８、１８が当接して、一方の建物２方向へ押し付けられて回動するため、目地プレート７の先端部を上方へ、他方の建物５の外壁面５ａに目地プレート７の先端部が衝突することなく上方へ回動して、その揺れ動きを吸収することができる。
このとき、ヒンジ部材６の枢支部が目地プレート７の下部位置に位置するため、目地プレート７の先端部の上方への回動を目地プレート７を損傷する事なくスムーズに行うことができる。
なお、揺れ動きが停止すると、目地プレート７の自重により少なくとも２個の伸縮脚１４、１４が収縮して、目地プレート７の先端部が支持台９に支持された図３の状態へ自動的に戻る。
[発明を実施するための異なる形態]
【００１７】
次に、図７ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図７ないし図９に示す本発明を実施するための第２の形態において、前記本発明を実施するための最良の第１の形態と主に異なる点は、アイソレータ２０が設けられた一方の免震建物２Ａの通路２１と目地部４を介して配置されたアイソレータ２０が設けられた他方の免震建物５Ａの通路２２とを接続できる部位に、コ字状のパイプ材製の可動脚部材１８Ａの接続部分１８ａを複数個の支持金具２３によって、目地プレート７の先端部の底面に取付けた少なくとも２個の伸縮脚１４Ａ、１４Ａを用いた点で、このように構成した目地カバー装置１Ａにしても、前記本発明を実施するための最良の第１の形態と同様な作用効果が得られる。
【００１９】
図１０ないし図１２に示す本発明を実施するための第３の形態において、前記本発明を実施するための最良の第１の形態と主に異なる点は、コ字状の固定脚部材１６Ａと、コ字状のパイプ材製の可動脚部材１８Ａとを用いて少なくとも２個の伸縮脚１４Ｂ、１４Ｂを用いた点で、このように構成した目地カバー装置１Ｂにしても、前記本発明を実施するための最良の第１の形態と同様な作用効果が得られる。
【００２０】
図１３ないし図１５に示す本発明を実施するための第４の形態において、前記本発明を実施するための最良の第１の形態と主に異なる点は、目地プレート７の先端部に該目地プレート７が他方の建物５より離間した場合に、目地プレート７上にいる人の安全を図るための手摺２４を設けた点で、このように手摺２４を用いた目地プレート７を使用した目地カバー装置１Ｃにしても、前記本発明を実施するための最良の第１の形態と同様な作用効果が得られる。
なお、手摺２４を用いた目地プレート７は前記第２、第３の実施の形態にも同様に実施することができる。
また、目地部が狭くなるような揺れ動き時には、支持台９の先端部によって、スムーズに枢支金具１３や可動脚部材１８を上方へ移動できるように、支持台９の先端部と枢支金具１３や可動脚部材１８を当接するように設置しておくと良い。
【産業上の利用可能性】
【００２１】
本発明は目地カバー装置を製造する産業で利用される。
【図面の簡単な説明】
【００２２】
【図１】本発明を実施するための最良の第１の形態の平面図。
【図２】本発明を実施するための最良の第１の形態の側面図。
【図３】図１の３−３線に沿う断面図。
【図４】本発明を実施するための最良の第１の形態の伸縮脚の説明図。
【図５】本発明を実施するための最良の第１の形態の目地部が広くなった動作説明図。
【図６】本発明を実施するための最良の第１の形態の目地部が狭くなった動作説明図。
【図７】本発明を実施するための第２の形態の平面図。
【図８】本発明を実施するための第２の形態の側面図。
【図９】図７の９−９線に沿う断面図。
【図１０】本発明を実施するための第３の形態の平面図。
【図１１】図１０の１１−１１線に沿う断面図。
【図１２】本発明を実施するための第３の形態の伸縮脚の説明図。
【図１３】本発明を実施するための第４の形態の平面図。
【図１４】図１３の１４−１４線に沿う断面図。
【図１５】本発明を実施するための第４の形態の目地プレートの説明図。
【符号の説明】
【００２３】
１、１Ａ、１Ｂ、１Ｃ：目地カバー装置、
２、２Ａ：一方の建物、          ３：パラペット、
４：目地部、                    ５、５Ａ：他方の建物、            
６：ヒンジ部材、                ７：目地プレート、
８：傾斜面、                    ９：支持台、
１０：枢支ピン、                １１：枢支金具、
１２：枢支ピン、                １３：枢支金具、
１４、１４Ａ、１４Ｂ：伸縮脚、  １５：枢支ピン挿入孔、
１６、１６Ａ：固定脚部材、      １７：枢支ピン挿入孔、
１８、１８Ａ：可動脚部材、      １９：ストッパー、
２０：アイソレータ、            ２１：通路、
２２：通路、                    ２３：支持金具、
２４：手摺。            
【図１】
2009108656.tif 000003
【図２】
2009108656.tif 000004
【図３】
2009108656.tif 000005
【図４】
2009108656.tif 000006
【図５】
2009108656.tif 000007
【図６】
2009108656.tif 000008
【図７】
2009108656.tif 000009
【図８】
2009108656.tif 000010
【図９】
2009108656.tif 000011
【図１０】
2009108656.tif 000012
【図１１】
2009108656.tif 000013
【図１２】
2009108656.tif 000014
【図１３】
2009108656.tif 000015
【図１４】
2009108656.tif 000016
【図１５】
2009108656.tif 000017